(57)【要約】      （修正有）【課題】自動的に内筒を弾き出して利用者の紙屑清掃の利便性を与えることができるシュレッダー紙屑容器構造の提供。【解決手段】一種の内、外筒より構成するシュレッダー紙屑容器の構造に関わるものである。内筒を外筒に装入したとき、引き金アセンブリにより、内・外筒を結合させ、推進機構に備えるエネルギー保存部材により容器を突き出す力量を蓄える。利用者より内筒を外筒に装入したとき、引き金アセンブリは内・外筒を結合させ、エネルギー保存部材より容器を突き出す力量を蓄えて、利用者の圧下又は踏み方式によって、引き金アセンブリを触発し、エネルギー保存部材に保存していたエネルギーを放出する。【選択図】図５
0003131178.tif 000002
【実用新案登録請求の範囲】
【請求項１】
以下の構成要素より構成する一種のシュレッダー紙屑容器機構において、
外筒、その上方に紙片を落下するための第１開口部を設け、側面場所に第２開口部を設けて、内筒を収容する、
内筒、外筒の第２開口部内側に設け、落ちる紙屑を収容する、
引き金アセンブリ、内筒に取り付け、内・外筒の締結関係を形成する、利用者による外力でもって、内・外筒の締結関係を解除する、
推進機構、外筒に取り付ける、引き金アセンブリが触動されたとき、内・外筒の締結関係を解除するために、内筒を外筒より突き出すときの十分な力量を提供することを特徴とするシュレッダー紙屑容器構造。
【請求項２】
該推進機構はエネルギー保存部材と摺動塊より組み合わせて構成する、該エネルギー保存部材二つの作用端は摺動塊と外筒に取り付けることを特徴とする請求項１記載のシュレッダー紙屑容器構造。
【請求項３】
該外筒の底部にエネルギー保存部材を収容するための凹み溝、及び摺動塊の移動行程を制限するためのレールを有することを特徴とする請求項２記載のシュレッダー紙屑容器構造。
【請求項４】
該エネルギー保存部材は伸長ばねより構成することを特徴とする請求項３記載のシュレッダー紙屑容器構造。
【請求項５】
該引き金アセンブリはフック、フックばね、触動部材、ハウジング、及び底板より組み合わせて構成する、該外筒にフックが締結するための締結孔を設け、ハウジングと底板によって固定する、該フックはハウジング内部に設け、該フックばねはハウジングとフック内側の間に設け、常時にフックの内側から内筒の底部に引っ張る働き力を有し、フックの内側を外筒の締結孔に締結させる、該触動部材は横向きにハウジングとフック外側の間に通し、フックに向かう端は傾斜面を設け、該傾斜面の突き出す働き力により、フック内側を内筒の内部に引き込んで、内・外筒の締結関係を解除することを特徴とする請求項１記載のシュレッダー紙屑容器構造。
【請求項６】
該引き金アセンブリはフック、フックばね、触動部材、底板及び一つ以上の触動ばねより組み合わせて構成する、該外筒にフックを締結するための締結孔を設け、ハウジングと底板により固定する、該フックは底板と内筒底面の間に設け、該フックばねは内筒底面とフック内側の間に設け、常時にフックの内側を内筒底部に引っ張る働き力を有し、フック地側を外筒の締結孔に締結させる、該触動部材は底板と内筒底面の間フックに傾けた外側に設けることにより、フック外側に圧下働きを形成し、内・外筒の締結関係を解除する、各該触動ばねは底板と触動部材との間に取り付けて、触動部材を上方に押し出す力を形成し、引き金アセンブリに再度内・外筒を締結状態に回復させることを特徴とする請求項１記載のシュレッダー紙屑容器構造。
【考案の詳細な説明】
【技術分野】
【０００１】
本考案はシュレッダー、一種の圧下又は踏み方式により、紙屑を入れた内筒を自動的に弾き出して、利用者による紙屑清掃の利便性を図るシュレッダー紙屑容器構造に関わるものである。
【背景技術】
【０００２】
公務上の法関係ファイル、金融関係の領収証、インボイス、クレジットカード番号、研究報告、又はクレジットカードの請求書、電話料金通知書など家族の財務などの資料を不審者に漏洩することを防ぐため、機密性のファイル又は資料をシュレッダーによって寸断する。このため、シュレッダーはビジネス及び家庭生活にとって、欠かせない設備となっている。
【０００３】
通常、シュレッダー基本の動作原理は複数のカッターブレード（ｃｕｔｔｉｎｇ  ｂｌａｄｅｓ）にスペーサ（ｓｐａｃｅｒｓ）と組合せて、回転軸（ｒｏｔａｒｙ  ｓｈａｆｔｓ）に穿設した上、モータと歯車装置（ｍｏｔｏｒ  ａｎｄ  ｇｅａｒ  ｂｏｘ）により、当該２本の平行、かつ、向かい合わせて設ける回転刃軸は通過する紙片に対して、剪断力でもって、細い紙切れ状に寸断する。シュレッダーは寸断方式により、長縞式シュレッダー（ｓｔｒｉｐｅ−ｃｕｔ  ｓｈｒｅｄｄｅｒｓ）と粉砕式シュレッダー（ｃｒｏｓｓ−ｃｕｔ  ｓｈｒｅｄｄｅｒｓ）の２種類に分ける。前者は切り込みカッターブレードを整一に回転刀軸に配列し、紙を縦にして長い片状に寸断する。後者のカッターブレードに一つ以上の鉤状の刃を有し、カッターブレードは回転刀軸において、らせん状に配列することにより、紙片は縦方向に長い片状に裁断した後、横方向に粉砕する。
【０００４】
前記した長縞式シュレッダー又は粉砕式シュレッダーとも、出荷するときは紙屑を入れるための紙屑容器（ｂａｓｋｅｔ  ｏｒ  ｂｉｎ）を組み合わせて販売する。この種の紙屑容器は、開口部を上向きした筒型容器でもって、シュレッダー本体を紙屑容器上部に取り付けることにより、寸断された紙片は下部の紙屑容器に落ちる。紙屑容器が満杯状態になったとき、紙片の堆積でシュレッダーの正常稼働を避けるため清掃を行う。
【考案の開示】
【考案が解決しようとする課題】
【０００５】
圧下又は踏み方式により紙屑を入れた内筒を自動的に弾き出して、利用者の清掃便利を図る、一種の内・外筒より構成するシュレッダー紙屑容器を提供することを本考案の主な目的とする。
【０００６】
前記した目的を達成するため、本考案のシュレッダー紙屑容器構造は、主に外筒、内筒、引き金アセンブリ、及び推進機構より構成する。該外筒の上部に紙片を落下するための第１開口部を設け、側面場所に内筒の出入りするための第２開口部を設ける。引き金アセンブリと推進機構はそれぞれ内筒と外筒に取り付ける。利用者より内筒を外筒に装入し、引き金アセンブリにより内・外筒を結合させ、推進機構のエネルギー保存部材より内筒を突き出するエネルギーを保存しておく、利用者による圧下又は踏み方式により引き金アセンブリを触動し、エネルギー保存部材に蓄えた力量を解放し、内筒を自動的に弾き出して、利用者の紙屑清掃に便利する。
【課題を解決するための手段】
【０００７】
請求項１の考案は、以下の構成要素より構成する一種のシュレッダー紙屑容器機構において、
外筒、その上方に紙片を落下するための第１開口部を設け、側面場所に第２開口部を設けて、内筒を収容する、
内筒、外筒の第２開口部内側に設け、落ちる紙屑を収容する、
引き金アセンブリ、内筒に取り付け、内・外筒の締結関係を形成する、利用者による外力でもって、内・外筒の締結関係を解除する。
推進機構、外筒に取り付ける、引き金アセンブリが触動されたとき、内・外筒の締結関係を解除するために、内筒を外筒より突き出すときの十分な力量を提供することを特徴とするシュレッダー紙屑容器構造としている。
請求項２の考案は、該推進機構はエネルギー保存部材と摺動塊より組み合わせて構成する、該エネルギー保存部材二つの作用端は摺動塊と外筒に取り付けることを特徴とする請求項１記載のシュレッダー紙屑容器構造としている。
請求項３の考案は、該外筒の底部にエネルギー保存部材を収容するための凹み溝、及び摺動塊の移動行程を制限するためのレールを有することを特徴とする請求項２記載のシュレッダー紙屑容器構造としている。
請求項４の考案は、該エネルギー保存部材は伸長ばねより構成することを特徴とする請求項３記載のシュレッダー紙屑容器構造としている。
請求項５の考案は、該引き金アセンブリはフック、フックばね、触動部材、ハウジング、及び底板より組み合わせて構成する、該外筒にフックが締結するための締結孔を設け、ハウジングと底板によって固定する、該フックはハウジング内部に設け、該フックばねはハウジングとフック内側の間に設け、常時にフックの内側から内筒の底部に引っ張る働き力を有し、フックの内側を外筒の締結孔に締結させる、該触動部材は横向きにハウジングとフック外側の間に通し、フックに向かう端は傾斜面を設け、該傾斜面の突き出す働き力により、フック内側を内筒の内部に引き込んで、内・外筒の締結関係を解除することを特徴とする請求項１記載のシュレッダー紙屑容器構造としている。
請求項６の考案は、該引き金アセンブリはフック、フックばね、触動部材、底板及び一つ以上の触動ばねより組み合わせて構成する、該外筒にフックを締結するための締結孔を設け、ハウジングと底板により固定する、該フックは底板と内筒底面の間に設け、該フックばねは内筒底面とフック内側の間に設け、常時にフックの内側を内筒底部に引っ張る働き力を有し、ふっ空地側を外筒の締結孔に締結させる、該触動部材は底板と内筒底面の間フックに傾けた外側に設けることにより、フック外側に圧下働きを形成し、内・外筒の締結関係を解除する、各該触動ばねは底板と触動部材との間に取り付けて、触動部材を上方に押し出す力を形成し、引き金アセンブリに再度内・外筒を締結状態に回復させることを特徴とする請求項１記載のシュレッダー紙屑容器構造としている。
【考案の効果】
【０００８】
本考案は、内・外筒の設置、及び引き金アセンブリ、推進機構との交互働き力により、シュレッダー本体を紙屑容器から外すことなく、手押しまたは踏み方式により、紙屑を詰めた内筒を弾き出して、利用者による紙屑清掃の便利を提供し、シュレッダーの実用性並びに利便性を大幅に向上する。
【考案を実施するための最良の形態】
【０００９】
図１は本考案の外観立体図、図２は本考案の構造分解図、図３は本考案もう一つの視角の分解図である。図示のとおり、シュレッダー紙屑容器は主に、外筒１１、内筒１２、引き金アセンブリ１３、及び推進機構１４より構成する。そのうち、
【００１０】
外筒１１はシュレッダー本体２０を乗せ、内筒１２を収納する。その上部に紙片を落下するための第１開口部１１１を設け、側面場所に内筒１２を退去させるための第２開口部１１２を設ける。
内筒１２は外筒１１に備える第２開口部１１２内部に設け、第１開口部１１１より落す紙片を収容する。
【００１１】
引き金アセンブリ１３は内筒１２に設け、内筒１３と外筒１１との締結固定を構成する。利用者の外力により、内筒２と外筒１の締結関係を解除する。
【００１２】
推進機構１４は外筒１１に設け、内筒１２を外筒１１より押し出すエネルギーを提供する。該エネルギーは引き金アセンブリ１３の触動により、内筒１２と外筒１１との締結関係を解除する。
【００１３】
図４は本考案内・外筒底面の構造図、図５は本考案内・外筒底面構造の断面概略図である。実施するとき、引き金アセンブリ１３を内筒１２底部の側面場所に取り付けて、フック１３１、フックばね１３２、触動部材１３３、ハウジング１３４、及び底板１３５より構成する。外筒１１はフック１３１に合わせて孔１１３を設ける。引き金アセンブリ１３はハウジング１３４と底板１３５を互いに締めつける。該フック１３１はハウジング１３４内部に旋接し、フックばね１３２はハウジング１３４とフック内側の間に設け、常時にフック１３１の内側を内筒１２底部に引っ張る働き力を有し、フック１３１の内側を外筒１１の締結孔１１３に締結して、内・外筒１２、１１の締結関係を構成する。
【００１４】
引き金アセンブリ１３の触動部材１３３は横向きにハウジング１３４とフック１３１外側の間に通す。フック１３１に向かう端は傾斜面１３６を設け、触動部材１３３を押し入れるとき、傾斜面１３６の支持働きにより、フック１３１の内側端を内筒１２の内部に進入する。すなわち、フック１３１の内側端を外筒１１の締結孔１１３から退去させ、内・外筒１２、１１の締結関係を解除する。
【００１５】
推進機構１４は、主にエネルギー保存部材１４１と摺動塊１４２より構成する。実施するとき、外筒１１の底部にエネルギー保存部材１４１の凹み溝１１４と、摺動塊１４２の摺動行程を制限するレール１１５を設ける。該エネルギー保存部材１４１は図示の伸長ばね又は類似機能の弾性部材より構成する。エネルギー保存部材１４１二つの作用端は摺動塊１４２及び外筒１１にそれぞれに固定する。内筒１２を外筒１１に装入したとき、摺動塊１４２は内筒１２の押し出す力により外筒１１の奥に引き込む同時に、エネルギー保存部材１４１による摺動塊１４２を押し出す（すなわち、内筒を押し出す）力を蓄える。引き金アセンブリ１３により、内・外筒１２、１１の締結関係を解除したとき、内筒１２は推進機構１４の働きにより、外筒１１内部より弾き出して、利用者による紙屑清掃の便利を提供する。
【００１６】
図１から図５の実施例において、引き金アセンブリ１３の触動部材１３３は横方向の作動方式により、内・外筒１２、１１の締結関係を解除する。前記の説明により、押しボタン方式は利用者の圧下操作によって、内筒１２を外筒１１内側から弾き出すに便利を提供する。
【００１７】
このほか、引き金アセンブリ１３の触動部材の触動部材１３３は、図６に示すペダル方式を設けても、同じく踏み方式により内筒１２を外筒１１弾き出すことができる。
【００１８】
図６は本考案実施例２の引き金アセンブリの構造分解図、図７は本考案実施例２の引き金アセンブリ構造分解図、図８は本考案実施例２の引き金アセンブリもう一つ視角の構造分解図、及び図９は本考案実施例２の引き金アセンブリの断面図である。
【００１９】
本実施例において、引き金アセンブリ１３はフック１３１、フックばね１３２、触動部材１３３、底板１３５、及び一つ以上の触動ばね１３７より構成する。そのうち、底板１３５は内筒１２の底面に締めつける。
【００２０】
外筒１１も同じくフック１３１を締結するための締結孔１１３を設ける。フック１３１は底板１３５と内筒１２底面の間に枢接し、フックばね１３２は内筒１２底面とフック１３１内側の端面に設け、常時にフック１３１の内側を内筒１２底部に向かって引っ張る働き力を有し、フック１３１の内側を外筒１１の締結孔１１３に締結することにより、内・外筒１２、１１の締結関係を形成する。一方、触動部材１３３は底板１３５と内筒１２底面との間に設け、フック１３１外側に傾けて置く、触動部材１３３を圧下したとき、フック１３１の外側に圧下接触させ、フック１３１の内側は内筒１２内側に引き込み、すなわち、フック１３１の内側端を外筒１１の締結孔１１３を退去し、内・外筒１２、１１間の締結関係を解除する。触動ばね１３７は底板１３５と触動部材１３３との間に設け、触動部材１３３の上方への突き出す働き力を形成し、引き金アセンブリ１３が再び内・外筒１２、１１を締結する状態に戻す。
【図面の簡単な説明】
【００２１】
【図１】本考案の外観立体図である。
【図２】本考案の構造分解図である。
【図３】本考案もう一つ視角の構造分解図である。
【図４】本考案の内・外筒の底面構造図である。
【図５】本考案の内・外筒の底面構造図である。
【図６】本考案の内・外筒の外観構造図である。
【図７】本考案の引き金アセンブリの構造分解図である。
【図８】本考案実施例２の引き金アセンブリのもう一つ視角の構造分解図である。
【図９】本考案実施例２の引き金アセンブリの断面図である。
【符号の説明】
【００２２】
１１  外筒
１１１  第１開口部
１１２  第２開口部
１１３  締結孔
１１４  凹み溝
１１５  レール
１２  内筒
１３  引き金アセンブリ
１３１  フック
１３２  フックばね
１３３  触動部材
１３４  ハウジング
１３５  底板
１３６  傾斜面
１３７  触動ばね
１４  推進機構
１４１  エネルギー保存部材
１４２  摺動塊
２０  シュレッダー本体
【図１】
0003131178.tif 000003
【図２】
0003131178.tif 000004
【図３】
0003131178.tif 000005
【図４】
0003131178.tif 000006
【図５】
0003131178.tif 000007
【図６】
0003131178.tif 000008
【図７】
0003131178.tif 000009
【図８】
0003131178.tif 000010
【図９】
0003131178.tif 000011
【手続補正書】
【提出日】平成19年2月7日(2007.2.7)
【手続補正１】
【補正対象書類名】実用新案登録請求の範囲
【補正対象項目名】全文
【補正方法】変更
【補正の内容】
【実用新案登録請求の範囲】
【請求項１】
外筒、内筒、引き金アセンブリ及び推進機構を含み、
該外筒の上方に紙片を落下するための第１開口部を設け、側面場所に内筒を収容する第２開口部を設け、
該内筒は落ちる紙屑を収容するためのものであり、該外筒の第２開口部内側に設けられ、
該引き金アセンブリは内筒に取り付けられ、該内・外筒の締結関係を形成し、利用者による外力でもって、該内・外筒の締結関係を解除し、
該推進機構は該外筒に取り付けられ、該引き金アセンブリが触動されたとき、上記内・外筒の締結関係を解除するために、内筒を外筒より突き出すときの十分な力量を提供することを特徴とするシュレッダー紙屑容器構造。
【請求項２】
該推進機構はエネルギー保存部材と摺動塊より組み合わせて構成され、該エネルギー保存部材の二つの作用端は摺動塊と外筒に取り付けることを特徴とする請求項１記載のシュレッダー紙屑容器構造。
【請求項３】
該外筒の底部にエネルギー保存部材を収容するための凹み溝、及び摺動塊の移動行程を制限するためのレールを有することを特徴とする請求項２記載のシュレッダー紙屑容器構造。
【請求項４】
該エネルギー保存部材は伸長ばねより構成することを特徴とする請求項３記載のシュレッダー紙屑容器構造。
【請求項５】
該引き金アセンブリはフック、フックばね、触動部材、ハウジング、及び底板より組み合わせて構成され、該外筒にフックが締結するための締結孔を設け、ハウジングと底板によって固定され、該フックはハウジング内部に設け、該フックばねはハウジングとフック内側の間に設け、常時にフックの内側から内筒の底部に引っ張る働き力を有し、フックの内側を外筒の締結孔に締結し、該触動部材は横向きにハウジングとフック外側の間に通し、フックに向かう端は傾斜面を設け、該傾斜面の突き出す働き力により、フック内側を内筒の内部に引き込んで、内・外筒の締結関係を解除することを特徴とする請求項１記載のシュレッダー紙屑容器構造。
【請求項６】
該引き金アセンブリはフック、フックばね、触動部材、底板及び一つ以上の触動ばねより組み合わせて構成され、該外筒にフックを締結するための締結孔を設け、ハウジングと底板により固定され、該フックは底板と内筒底面の間に設け、該フックばねは内筒底面とフック内側の間に設け、常時にフックの内側を内筒底部に引っ張る働き力を有し、フック内側を外筒の締結孔に締結し、該触動部材は底板と内筒底面の間フックに傾けた外側に設けることにより、フック外側に圧下働きを形成し、内・外筒の締結関係を解除し、各該触動ばねは底板と触動部材との間に取り付けて、触動部材を上方に押し出す力を形成し、引き金アセンブリに再度内・外筒を締結状態に回復させることを特徴とする請求項１記載のシュレッダー紙屑容器構造。
【手続補正２】
【補正対象書類名】明細書
【補正対象項目名】０００７
【補正方法】変更
【補正の内容】
【０００７】
請求項１の考案は、外筒、内筒、引き金アセンブリ及び推進機構を含み、
該外筒の上方に紙片を落下するための第１開口部を設け、側面場所に内筒を収容する第２開口部を設け、
該内筒は落ちる紙屑を収容するためのものであり、該外筒の第２開口部内側に設けられ、
該引き金アセンブリは内筒に取り付けられ、該内・外筒の締結関係を形成し、利用者による外力でもって、該内・外筒の締結関係を解除し、
該推進機構は該外筒に取り付けられ、該引き金アセンブリが触動されたとき、上記内・外筒の締結関係を解除するために、内筒を外筒より突き出すときの十分な力量を提供することを特徴とするシュレッダー紙屑容器構造としている。
請求項２の考案は、該推進機構はエネルギー保存部材と摺動塊より組み合わせて構成され、該エネルギー保存部材の二つの作用端は摺動塊と外筒に取り付けることを特徴とする請求項１記載のシュレッダー紙屑容器構造としている。
請求項３の考案は、該外筒の底部にエネルギー保存部材を収容するための凹み溝、及び摺動塊の移動行程を制限するためのレールを有することを特徴とする請求項２記載のシュレッダー紙屑容器構造としている。
請求項４の考案は、該エネルギー保存部材は伸長ばねより構成することを特徴とする請求項３記載のシュレッダー紙屑容器構造としている。
請求項５の考案は、該引き金アセンブリはフック、フックばね、触動部材、ハウジング、及び底板より組み合わせて構成され、該外筒にフックが締結するための締結孔を設け、ハウジングと底板によって固定され、該フックはハウジング内部に設け、該フックばねはハウジングとフック内側の間に設け、常時にフックの内側から内筒の底部に引っ張る働き力を有し、フックの内側を外筒の締結孔に締結し、該触動部材は横向きにハウジングとフック外側の間に通し、フックに向かう端は傾斜面を設け、該傾斜面の突き出す働き力により、フック内側を内筒の内部に引き込んで、内・外筒の締結関係を解除することを特徴とする請求項１記載のシュレッダー紙屑容器構造としている。
請求項６の考案は、該引き金アセンブリはフック、フックばね、触動部材、底板及び一つ以上の触動ばねより組み合わせて構成され、該外筒にフックを締結するための締結孔を設け、ハウジングと底板により固定され、該フックは底板と内筒底面の間に設け、該フックばねは内筒底面とフック内側の間に設け、常時にフックの内側を内筒底部に引っ張る働き力を有し、フック内側を外筒の締結孔に締結し、該触動部材は底板と内筒底面の間フックに傾けた外側に設けることにより、フック外側に圧下働きを形成し、内・外筒の締結関係を解除し、各該触動ばねは底板と触動部材との間に取り付けて、触動部材を上方に押し出す力を形成し、引き金アセンブリに再度内・外筒を締結状態に回復させることを特徴とする請求項１記載のシュレッダー紙屑容器構造としている。